(57)【要約】【課題】歯科診療ユニットの移動に手間をかけないようにする。【解決手段】回転扉3の回転軸2に固定された傘歯車ａと、傘歯車aに歯合して回転扉の回転軸2に直交する方向に動力伝達する傘歯車bと、傘歯車bに固定された軸Aと、軸Aの他端に固定された傘歯車cと、傘歯車cに歯合して軸Aに直交する方向に動力を伝達する傘歯車dと、傘歯車dに固定された軸Bとからなる歯車機構と、該軸Bに一端が固定されたアーム6と、アーム6の先端に固定されたピン7と、歯科診療ユニット1を搭載する台車5側に固定され前記ピン7が摺動自在に係合する長穴8を有するプレート9とから成り、前記回転扉3を開閉する回転力にてアーム6を回動することによりピン7が長穴8を摺動し,前記プレート9を押圧しつつ台車5を移動する。【選択図】図１
2008161537.tif 000002
【特許請求の範囲】
【請求項１】
歯科診療椅子、ドクターテーブル、ドクターカート、アシスタントハンガ、スピットン、診療用無影灯それぞれの単体、あるいは前記単体の何れかの組み合わせにて構成される歯科診療ユニットを診療のために任意の位置に移動する移動手段と、診療後に前記歯科診療ユニットを移動して収納する収納手段とを有し、歯科診療ユニットを移動することにより多目的空間を形成するフレキシブル歯科診療ユニットにおいて、
前記収納手段である収納キャビネットの面が開閉扉から成り、該開閉扉の開閉に連動して歯科診療ユニットを移動させる移動手段を該開閉扉と歯科診療ユニットとの間に設けたことを特徴とするフレキシブル歯科診療ユニット。
【請求項２】
前記開閉扉が回転扉から成り、該回転扉の回転軸と歯科診療ユニットとの間にギア機構から成る連動手段を設けたことを特徴とする請求項１記載のフレキシブル歯科診療ユニット。
【請求項３】
前記ギア機構から成る連動手段は、前記回転扉と歯科診療ユニットを搭載する台車との間に設けたことを特徴とする請求項１記載のフレキシブル歯科診療ユニット。
【請求項４】
前記ギア機構は、前記回転扉 3の回転軸2に固定された傘歯車aと、傘歯車aに歯合して回転扉3の回転軸2に直交する方向に動力を伝達する傘歯車bと、傘歯車bに固定された軸Aと、軸Aの他端に固定された傘歯車cと、傘歯車cに歯合して軸Aに直交する方向に動力を伝達する傘歯車dと、傘歯車dに固定された軸Bとからなる歯車機構と、該軸Bに一端が固定されたアーム6と、前記アーム6の先端に固定されたピン7と、歯科診療ユニット4を搭載する台車5側に固定され前記ピン7が摺動可能に係合する長穴8を有するプレート9とから成り、前記回転扉3の開閉に連動してアーム6を揺動することによりアーム6先端のピン7が前記プレートを押圧しつつ台車5を移動させることを特徴とする請求項２または3記載のフレキシブル歯科診療ユニット。
【請求項５】
該歯科診療ユニットを搭載した台車5を所定の方向に移動させるリニアガイドシャフトを該台車側に設け、該リニアガイドシャフトに摺動自在に嵌合しかつ台車5の移動方向をガイドするガイドブロックを床面側に固定したことを特徴とする請求項２または３記載のフレキシブル歯科診療ユニット。
【請求項６】
前記開閉扉が回転扉から成り、該回転扉3と歯科診療ユニットとの間にリンク機構から成る連動手段を設けたことを特徴とする請求項１記載のフレキシブル歯科診療ユニット。
【請求項７】
前記リンク機構から成る連動手段は、前記回転扉と歯科診療ユニットを搭載する台車との間に設けたことを特徴とする請求項１記載のフレキシブル歯科診療ユニット。
【請求項８】
前記リンク機構は、前記回転扉の下部に略L字形リンクの一端を回動自在に取り付け、他端を、歯科診療ユニットを搭載する台車5に回動自在に取り付けて成り、該リンクを介して前記回転扉の開閉に連動して台車を移動させることを特徴とする請求項６または７記載のフレキシブル歯科診療ユニット。
【請求項９】
前記台車は、床面にリニアガイドレールを設け、該リニアガイドレールに摺動自在に係合して移動するスライダを介して所定の方向に移動することを特徴とする請求項７または８記載のフレキシブル歯科診療ユニット。
【請求項１０】
前記開閉扉が壁面に沿って平行移動するスライド扉から成り、該スライド扉と歯科診療ユニットとの間に牽引機構からなる連動手段を該スライド扉と歯科診療ユニットとの間に設けたことを特徴とする請求項１記載のフレキシブル歯科診療ユニット。
【請求項１１】
前記牽引機構から成る連動手段は、前記スライド扉と歯科診療ユニットを搭載する台車との間に設けたことを特徴とする請求項１記載のフレキシブル歯科診療ユニット。
【請求項１２】
前記連動手段は、床面に平行なスライドガイドレール19を壁面に設け、該スライドガイドレール19に前記スライド扉17の一端を摺動自在に係合し、一方、前記スライド扉17の面に、台車5とスライド扉17との間隔を一定に保ちつつ牽引するスライドガイド22の一端を固定すると共に、該スライドガイド22の他端にストッパ23を固定し、該スライドガイド22に摺動自在に係合して台車5を移動させるスライダ24を台車5に固定した牽引機構から成り、前記スライド扉17を開く際に、スライド扉17がスライドガイドレール19をガイドにして平行移動することによりスライダ24がスライドガイド22をガイドにして移動してストッパ23に当接し、台車5を牽引しつつ収納キャビネット1から引き出し、またスライド扉17を閉止する際にはスライド扉17の面にて台車5を押圧しつつ収納キャビネット1内に移動して収納することを特徴とする請求項１０または１１記載のフレキシブル歯科診療ユニット。
【請求項１３】
前記移動手段は、歯科診療ユニットを搭載しキャスタ13を介して移動する台車5から成ることを特徴とする請求項１記載のフレキシブル歯科診療ユニット。
【請求項１４】
前記移動手段は、歯科診療ユニットに設けたキャスタ13から成ることを特徴とする請求項１記載のフレキシブル歯科診療ユニット。
【請求項１５】
歯科診療ユニットまたは台車を任意の位置に固定するために床面との間に固定手段を有することを特徴とする請求項１乃至１４のいずれかに記載の歯科診療ユニット。
【請求項１６】
前記固定手段が、歯科診療ユニットまたは台車下部に上下動可能に装着された電磁石と、床面に固定された吸着プレートから成り、通電にて電磁石を吸着プレートに吸着させることにより位置を固定する電磁石方式のベースロック装置であることを特徴とする請求項１５記載の歯科診療ユニット。
【請求項１７】
前記固定手段が、歯科診療ユニットまたは台車下部に装着されたラッチ構造と、床面に設置され上下動可能なアンカを有するソレノイドとから成り、通電にて前記ソレノイドのアンカを昇降させ、上昇したアンカをクラッチにて挟持することにより位置を固定するアンカ・ラッチ方式のベースロック装置であることを特徴とする請求項1５記載の歯科診療ユニット。
【発明の詳細な説明】
【技術分野】
【０００１】
本発明は、歯科診療ユニットを診療のために任意の位置に移動し、診療後は歯科診療ユニットを収納して移動することにより多目的空間を形成するフレキシブル歯科診療ユニットに関する。
【背景技術】
【０００２】
従来、歯科診療ユニットは所定の位置に固定されているのが一般的である。また、歯科診療ユニットを可動式にした例としては本願発明者が先に出願した特許文献１に示される発明がある。特許文献１の発明は、歯科診療椅子、ドクターテーブル、ドクターカート、アシスタントハンガ、スピットン、診療用無影灯それぞれの単体、あるいは前記単体の何れかの組み合わせにて構成される歯科診療ユニットを診療のために任意の位置に移動する移動手段と、診療後に前記歯科診療ユニットを移動して収納する収納手段とを有し、歯科診療ユニットを移動することにより多目的空間を形成するフレキシブル歯科診療ユニットである。
【０００３】
しかるに、本願発明者は特許文献１の技術に鑑みて歯科診療ユニットの移動を更に容易にする技術を開発したところである。
【特許文献１】特願２００６−２７５４１１号
【発明の開示】
【発明が解決しようとする課題】
【０００４】
解決しようとする問題点は、歯科診療ユニットの移動に手間をかけないようにする点である。
【課題を解決するための手段】
【０００５】
本発明は、歯科診療ユニットを収納するキャビネットの扉を開閉する際に、開閉に連動して歯科診療ユニットを移動することを特徴とする。
【発明の効果】
【０００６】
本発明のフレキシブル歯科診療ユニットは、歯科診療ユニットを収納するキャビネットの扉を開閉する際に、開閉に連動して歯科診療ユニットを移動することによって歯科診療ユニットを移動する手間が省けるという利点がある。
【発明を実施するための最良の形態】
【０００７】
歯科診療ユニットを移動する手間を省くという目的を、収納キャビネットの扉の開閉に連動して移動することにより歯科診療ユニットを個々に移動せずに済む手段を実現した。
【実施例１】
【０００８】
本発明のフレキシブル歯科診療ユニットは、歯科診療椅子、ドクターテーブル、ドクターカート、アシスタントハンガ、スピットン、診療用無影灯それぞれの単体、あるいは前記単体の何れかの組み合わせにて構成される歯科診療ユニットを診療のために任意の位置に移動する移動手段と、診療後に前記歯科診療ユニットを移動して収納する収納手段とを有し、歯科診療ユニットを移動することにより多目的空間を形成するものである。
図1および図2は,本発明の実施例１を示し、図1(a)は歯科診療ユニットを収納したキャビネットの一部を断面にした上面図、(b)はA−A矢視図、(c)は一部を断面にした側面図、(d)は台車の裏面図、図2(a)は歯科診療ユニットの収納状態を示す上面図、(b)は扉の開放に連動して歯科診療ユニットを移動した上面図、(c)は歯科診療ユニットを診療態勢にした上面図である。
【０００９】
本実施例では、図1及び図2に示すように収納手段である収納キャビネット1が一辺を回転軸2として回転する回転扉3を有し、歯科診療ユニット4を搭載する台車5を回転扉3の回転に連動して移動させる移動手段を回転軸2と台車5との間に設けたものである。
【００１０】
前記移動手段は、回転扉3の回転軸2に固定された傘歯車aと、傘歯車aに歯合して回転扉の回転軸2に直交する方向に動力伝達する傘歯車bと、傘歯車bに固定された軸Aと、軸Aの他端に固定された傘歯車cと、傘歯車cに歯合して軸Aに直交する方向に動力を伝達する傘歯車dと、傘歯車dに固定された軸Bとから成る歯車機構と、該軸Bに一端が固定されたアーム6と、アーム6の先端に固定されたピン7と、歯科診療ユニット4を搭載する台車5側に固定され前記ピン7が摺動自在に係合する長穴8を有するプレート9とから成り、前記回転扉3を開閉する回転力を歯車機構にて伝達しアーム6を回動することによりピン7が長穴8を摺動しつつ,前記プレート9を押圧して台車5を移動させることが可能となる。
【００１１】
また、(c)図及び(d)図に示すように、歯科診療ユニット4を搭載した台車5を所定の方向に移動させるためにリニアガイドシャフト10が台車5に設けられ、リニアガイドシャフト10に摺動自在に嵌合するガイドブロック11が床面12に固定されていて、台車5の移動方向がリニアガイドシャフト10とガイドブロック11とによりガイドされるように構成されている。なお、台車5はキャスタ13にて移動可能となっている。
【００１２】
以上の構成は、図2(a)に示すように台車5に搭載された歯科診療ユニット4が回転扉3の閉止に連動して収納部内に収納され、また(b)図に示すように回転扉3の開放に連動して歯科診療ユニット4が引き出され、(c)図に示すように引き出された歯科診療ユニット4は各部を診療態勢に展開することが可能となる。
以上により歯科診療ユニット1を移動する手間が省ける。
【実施例２】
【００１３】
図3は本発明の実施例２を示し、図3(a)は略L字形リンクにて台車を回転扉の開閉に連動して台車が移動する過程を示す上面図、(b)は回転扉を開放して台車が移動した上面図、(c)は台車で移動した歯科診療ユニットを診療態勢に展開した上面図である。
【００１４】
本実施例では、前記実施例１において回転扉3を開閉する回転力をギアa~dにて伝動することによりアーム6を揺動させる歯車機構からなる移動手段に替えて、図3に示すように略L字形リンク14を介して回転扉3の開閉に連動して歯科診療ユニット4を搭載する台車5を移動させるリンク機構からなる移動手段を回転扉3の下部と台車5との間に設けたものである。
上記リンク機構からなる移動手段は、略L字形リンク14の一端が回転扉3の下部に回動自在に取り付けられ、他端が歯科診療ユニット4を搭載する台車5に回動自在に取り付けられていることにより、回転扉3の開閉にて台車5を移動させることが可能になるものである。
【００１５】
またこの構成にて、台車5を直線方向に移動させるために床面12にリニアガイドレール15が設けられ、このリニアガイドレール15に摺動自在に係合するスライダ16が台車5の裏面に設けられていて、台車5がリニアガイドレール15にてガイドされるように構成されている。
【００１６】
図3(a)は扉が開く過程で台車5がキャスタ13を介して直線方向に移動して歯科診療ユニット4が歯科収納キャビネット1に収納されることを示している。また(b)図は回転扉3を開放に連動して歯科診療ユニット4が前方に移動した状態を示している。前方に移動した歯科診療ユニット4は(c)図に示すように広い空間にて各部を診療態勢に展開することが可能となる。
以上により歯科診療ユニット1を移動する手間が省ける。
【実施例３】
【００１７】
図4及び図5は本発明の実施例３を示し、図4(a)は扉の平行移動に連動して台車を移動させる手段を設けたキャビネットの底面図、(b)はA矢視図、(c)はB矢視図、(d)はC−C矢視断面図、図5(a)は歯科診療ユニットの収納状態を示す上面図、(b)は移動した歯科診療ユニットの診療態勢を示す上面図である。
【００１８】
本実施例は、図4(a)に示すように収納部がスライド扉17とスライド扉17の一端に回動自在に連結された回転扉18から成り、スライド扉17の平行移動に連動して歯科診療ユニット4を搭載する台車5を平行移動させる牽引機構からなる移動手段がスライド扉17の面と台車5 との間に設けられたものである。
【００１９】
移動手段は、(a)(b)(c)図に示すように床面12に平行な2本のスライドガイドレール19が壁面20に設けられ、このスライドガイドレール19にスライド扉17の一端がガイドプーリ21を介して摺動自在に係合され、一方、前記スライド扉17の面に台車5を牽引する平行な2本のスライドガイド22の端部が固定され、その他端にストッパ23が固定されている。更にこのスライドガイド22に摺動自在に係合するスライダ24が台車5に固定されている。なお、スライド扉17は、その下端に設けられたキャスタ25を介して2点鎖線で示すように平行移動が可能であり、台車5は車輪26を介して移動が可能となっている。
となっている。
【実施例４】
【００２０】
図6および図7は本発明の実施例４を示し、図6(a)は電磁石方式ベースロック装置の正面図、(b)は同作動説明図、図7(a)はアンカ・ラッチ方式ベースロック装置の正面図、(b)は同作動説明図である。
本発明では歯科診療ユニット4や台車5の移動時以外は床面に固定する必要があるので、本実施例ではこの固定手段について説明する。
この固定手段の例としては図6に示す電磁石方式ベースロック装置を用いることができる。この装置は、歯科診療ユニットや台車5の下部に固定するベース41中央に電磁石42が設けられており、この電磁石4２は両側方のベース41面に立設された固定ピン43に外嵌するばね44の付勢にて固定金具45を介して常時は上方に持ち上げられている。一方、床面12には鉄板からなる吸着プレート46がねじ47にて固定されている。この構成の電磁石方式ベースロック装置は、通電することにより電磁石42に磁力が発生し、ばね44の付勢に抗して下降して吸着プレート46に吸着し、その位置が固定される。また通電を停止することにより電磁石42は磁力を失い、上昇して固定が開放され、移動が可能になる。なお符号48は電源コードを示す。
【００２１】
固定手段の他の例としてアンカ・ラッチ方式のベースロック装置を用いることができる。この装置は、歯科診療ユニット4や台車5の下部に固定するベース49上面にラッチ構造50が設けられており、このラッチ構造50には左右一対のラッチ51がスライド自在に設けられ、ばね52の付勢にて常時は中央に前進させられている。またラッチ51にはワイヤ53が取り付けられており、ワイヤ53を両側方に引くことによりラッチ51を後退させることができる。一方、床面12にはアンカ54を昇降させるソレノイド55がねじ56にて固定されている。この構成のアンカ・ラッチ方式ベースロック装置は、ソレノイド55に通電することによりアンカ54が上昇し、上昇したアンカ54の上端に形成された溝57にラッチ51がばね52の付勢にて自動的に落ち込み係合してアンカ54が挟持され、その位置が固定される。また通電停止と共にワイヤ53を両側方に引くことによりラッチ5１が溝57から外れてアンカ54が下降し固定が開放されて移動が可能になる。
【００２２】
また、固定手段は前記例に限らず市販のストッパ付キャスタ、ハンマーロック、あるいは床面に設けた穴にピンを差し込む方式等を採用してもよい。なお前記固定手段は開閉扉にも取り付けて開閉位置を固定してもよい。
以上、歯科診療ユニットを開閉扉の開閉に連動して移動することにより手間が省ける。また、上記各実施例において、開閉扉の開閉および台車の移動は手操作の例について説明したが手操作に替えてモータ駆動にしてもよい。
【図面の簡単な説明】
【００２３】
【図１】(a)は歯科診療ユニットを収納したキャビネットの一部を断面にした上面図、(b)図はA−A矢視図、(c)図は一部を断面にした側面図、(d)図は台車の裏面図である。  （実施例１）
【図２】(a)は歯科診療ユニットの収納状態を示す上面図、(b)図は扉の開放に連動して歯科診療ユニットを移動した上面図、(c)図は歯科診療ユニットを診療態勢にした上面図である。  （実施例１）
【図３】(a)は略L字形リンクにて台車を回転扉の開閉に連動して台車が移動する過程を示す上面図、(b)は回転扉を開放して台車が移動した上面図、(c)は台車で移動した歯科診療ユニットを診療態勢に展開した上面図である。  （実施例２）
【図４】(a)は扉の平行移動に連動して台車を平行移動させる手段を設けたキャビネットの底面図、(b)はA矢視図、(c)はB矢視図、(d)はC−C矢視断面  図である。である。  （実施例３）
【図５】(a)は歯科診療ユニットの収納状態を示す上面図、(b)は移動した歯科診療ユニットの診療態勢を示す上面図である。（実施例３）
【図６】(a)は磁石方式ベースロック装置の正面図、(b)は同作動説明図である。（実施例４）
【図７】(a)はアンカ・ラッチ方式ベースロック装置の正面図、(b)は同作動説明図である。（実施例４）
【符号の説明】
【００２４】
1  収納キャビネット
2  回転軸
3,18  回転扉
4  歯科診療ユニット
5  台車
6  アーム
7  ピン
8  長穴
9  プレート
10  リニアガイドシャフト
11  ガイドブロック
12  床面
13,25  キャスタ
14  略L字形リンク
15  リニアガイドレール
16,24  スライダ
17  スライド扉
19  スライドガイドレール
20  壁面
21  ガイドプーリ
22  スライドガイド
23  ストッパ
26  車輪
27 収納部
41,49  ベース
42 磁石
43  固定ピン
44,52  ばね
45  固定金具 
46  吸着プレート
47,56  ねじ
48,58  電源コード
50  ラッチ構造
51  ラッチ
53  ワイヤ
54  アンカ
55  ソレノイド
57  溝
【図１】
2008161537.tif 000003
【図２】
2008161537.tif 000004
【図３】
2008161537.tif 000005
【図４】
2008161537.tif 000006
【図５】
2008161537.tif 000007
【図６】
2008161537.tif 000008
【図７】
2008161537.tif 000009